(57)【要約】【課題】簡易に取り付けることができるとともに、安定して固定することの可能な連結固定具を提供する。【解決手段】第２外部１６には、ボルト穴１４Ａに対向する位置にボルト穴１６Ａが構成されている。第２外部１６のボルト穴１６Ａに対応する位置で固定空間Ｒと逆側には、第２外部１６と一体的にロッド取付部材２２が形成されている。ロッド取付部材２２は、長尺筒棒状とされ、筒孔２２Ａの内面に雌ネジが構成されている。ロッド取付部材２２は、挟持ネジ２０と同軸的に配置されており、ボルト穴１６Ａと筒孔２２Ａとは連続構成されている。【選択図】図１
2010127406.tif 000002
【特許請求の範囲】
【請求項１】
互いに離間して対向配置され各々対向する面の間に固定空間を構成する第１外部及び第２外部と、前記第１外部と前記第２外部とを連結する連結部と、を有する保持本体と、
前記第１外部を貫通し、前記外部の外側から前記固定空間に向かってねじ込まれ、先端部で前記固定空間に配置される固定対象物を挟持する挟持ねじと、
前記挟持ねじと同軸方向に配置され、前記第２外部の外側に延出されたロッド取付部材と、
を備えた連結固定具。
【請求項２】
前記ロッド取付部材は、筒状とされ、筒内に雌ネジが構成されていること、を特徴とする請求項１に記載の連結固定具。
【請求項３】
前記連結部には、前記固定対象物の端面に当接して前記保持本体の前記挟持ねじ周りの回転を阻止する回転阻止部が設けられていること、を特徴とする請求項１に記載の連結固定具。
【発明の詳細な説明】
【技術分野】
【０００１】
本発明は、工事現場の仮設構造体を構成する際に、鋼材へ引張ロッドを連結固定するため等に用いられる連結固定具に関する。
【背景技術】
【０００２】
従来より、クランプは、工事現場の仮設構造体を構成する鋼材同士を連結固定したり、特定の位置に孔を穿孔せずに被固定物を固定したりするために用いられている。例えば、特許文献１には、クランプ具に上部が支持された吊りボルトが開示されている。特許文献１では、受け金具を介して吊りボルトに吊り下げ対象物が吊り下げられている。
【０００３】
しかしながら、特許文献１に記載されている構成では、クランプ具の締め付けボルトと吊り下げボルトの軸が異なる位置にあるため、吊り下げ対象物による荷重で挟持部分に回転モーメントが作用して、クランプ具の固定が不安定になる。
【特許文献１】特開２００５−１４０１６６号公報
【発明の開示】
【発明が解決しようとする課題】
【０００４】
本発明は、上記事実を考慮してなされたものであり、簡易に取り付けることができるとともに、安定して固定することの可能な連結固定具を提供することを目的とする。
【課題を解決するための手段】
【０００５】
上記の目的を達成するため、本発明の請求項１に係る連結固定具は、互いに離間して対向配置され各々対向する面の間に固定空間を構成する第１外部及び第２外部と、前記第１外部と前記第２外部とを連結する連結部と、を有する保持本体と、前記第１外部を貫通し、前記外部の外側から前記固定空間に向かってねじ込まれ、先端部で前記固定空間に配置される固定対象物を挟持する挟持ねじと、前記挟持ねじと同軸方向に配置され、前記第２外部の外側に延出されたロッド取付部材と、を備えている。
【０００６】
上記構成の連結固定具では、第１外部と第２外部の間に構成された固定空間に固定対象物を配置して、挟持ネジをねじ込むことにより、挟持ネジの先端部と第２外部との間で固定対象物を挟持する。これにより、保持本体が固定対象物に固定される。第２外部の外側に延出されたロッド取付部材は、挟持ネジと同軸方向に配置されているので、ロッド取付部材に取り付けられる引張ロッドの引張力は、挟持ネジと同軸上で挟持ネジの締結方向と同方向に作用する。したがって、ロッド取付部材へ引張力が作用しても、挟持ネジには、締結方向への力が作用し、安定的に固定対象物への固定を行うことができる。
【０００７】
また、挟持ねじを締結することにより、孔の穿孔などを行わずに、簡単に固定対象物への固定を行うことができる。
【０００８】
本発明の請求項２に係る連結固定具は、前記ロッド取付部材が、筒状とされ、筒内に雌ネジが構成されていること、を特徴とする。
【０００９】
このように、ロッド取付部材を構成することにより、外周面に対応する雄ネジを有するロッドを、ロッド取付部材へ容易に取り付けることができる。
【００１０】
本発明の請求項３に係る連結固定具は、前記連結部には、前記固定対象物の端面に当接して前記保持本体の前記挟持ねじ周りの回転を阻止する回転阻止部が設けられていること、を特徴とする。
【００１１】
このように、回転阻止部を設けることにより、連結固定具をより安定して固定対象物へ固定することができる。
【発明の効果】
【００１２】
以上説明したように本発明に係る連結固定具によれば、簡易に取り付けることができるとともに、安定して固定することができる。
【発明を実施するための最良の形態】
【００１３】
以下、本発明の実施形態に係る連結固定具について図面を参照して説明する。
【００１４】
図１に示すように、連結固定具１０は、保持本体１２、挟持ネジ２０、及び、ロッド取付部材２２を備えている。保持本体１２は、略コ字状とされている。保持本体１２のコ字の一端部である第１外部１４と、コ字の他端部である第２外部１６とは互いに離間して対向配置されている。第１外部１４と第２外部１６とは、コ字の中間部である連結部１８により連結されている。第１外部１４と第２外部１６の各々が対向する面の間には、固定空間Ｒが構成されている。固定空間Ｒには、固定対象物が配置される。
【００１５】
第１外部１４には、第２外部１６と向き合う位置にボルト穴１４Ａが構成されている。ボルト穴１４Ａの内側には、図２に示すように、雌ネジ１４Ｎが構成されている。ボルト穴１４Ａには、挟持ネジ２０がねじ込まれている。挟持ネジ２０には、外周に雄ネジ２０Ｎが形成されており、雄ネジ２０Ｎがボルト穴１４Ａの雌ネジと螺合されている。挟持ネジ２０の先端部２１は、平坦形状とされており、この先端部２１と第２外部１６の固定空間Ｒ側の面の間に、固定対象物が挟持される。
【００１６】
第２外部１６には、ボルト穴１４Ａに対向する位置にボルト穴１６Ａが構成されている。第２外部１６のボルト穴１６Ａに対応する位置で固定空間Ｒと逆側には、第２外部１６と一体的にロッド取付部材２２が形成されている。ロッド取付部材２２は、長尺筒棒状とされ、筒孔２２Ａの内面に雌ネジが構成されている。ロッド取付部材２２は、挟持ネジ２０と同軸的に配置されており（この軸を「軸Ｓ」とする）、ボルト穴１６Ａと筒孔２２Ａとは連続構成されている。ロッド取付部材２２の先端部分には、ナット２４が配置されている。
【００１７】
ロッド取付部材２２の筒孔２２Ａには、外周に雄ネジ２６Ｎの形成された引張ロッド２６の一端をねじ込み可能とされている。
【００１８】
連結固定具１０をＨ型鋼４０に固定する際には、まず、図２及び図３に示すように、引張ロッド２６をロッド取付部材２２に取り付ける。次に、第１外部１４がＨ型鋼４０のフランジ４０Ｆの内側に配置されるようにして、固定空間Ｒにフランジ４０Ｆを挿入して、フランジ４０Ｆの端面が連結部１８の内側壁に当接されるように配置する。そして、挟持ネジ２０を締結して挟持ネジ２０の先端面と第２外部１６の固定空間Ｒ側の面との間で、フランジ４０Ｆを挟持する。このようにして、連結固定具１０は、Ｈ型鋼４０に固定される。
【００１９】
本実施形態の連結固定具１０によれば、Ｈ型鋼４０に引張ロッド２６を連結する際に、Ｈ型鋼４０にねじ孔等を穿孔する必要がなく、挟持ねじ２０を締結することにより簡単に取り付けることができる。
【００２０】
また、第２外部１６の外側に延出されたロッド取付部材２２は、挟持ネジ２０と同軸Ｓ方向に配置されているので、ロッド取付部材２２に取り付けられる引張ロッド２６の引張力は、挟持ネジ２０と同軸Ｓ上で挟持ネジ２０の締結方向と同方向に作用する。したがって、ロッド取付部材２２へ引張力が作用しても、挟持ネジ２０に締結方向への力が作用し、安定的にＨ型鋼４０への固定を行うことができる。
【００２１】
なお、本実施形態の連結部１８には、図４に示すように、回転阻止部３０を設けてもよい。回転阻止部３０は、連結部１８を挟んで両側に挟持ねじ２０及びロッド取付部材２２の軸Ｓ方向に対して直交する方向に平行な当接面３２を有している。当接面３２は、連結部１８の固定空間Ｒ側の面と面一とされている。
【００２２】
このように、回転阻止部３０を設けることにより、保持本体１２の軸Ｓ周りの回転を阻止することができる。
【００２３】
また、図５に示すように、保持本体１２の全体を幅広として、固定対象物へ当接される面積を広くすることもできる。本構成によれば、連結部１８の内側が固定対象物へ当接されることにより、保持本体１２の軸Ｓ周りの回転を阻止することができる。また、第１外部１４及び第２外部１６の固定対象物への当接面積が広くなるので、確実に固定を行うことができる。
【図面の簡単な説明】
【００２４】
【図１】本発明の実施形態に係る連結固定具の構成を示す斜視図である。
【図２】本発明の実施形態に係る連結固定具の側断面図である。
【図３】本発明の実施形態に係る連結固定具が、Ｈ型鋼に取り付けられた状態を示す斜視図である。
【図４】本発明の実施形態に係る連結固定具の変形例を示す斜視図である。
【図５】本発明の実施形態に係る連結固定具の他の変形例を示す斜視図である。
【符号の説明】
【００２５】
１０   連結固定具
１２   保持本体
１４   第１外部
１６   第２外部
１８   連結部
２０   挟持ネジ
２１   先端部
２２   ロッド取付部材
２２Ａ 筒孔
２６   引張ロッド
３０   回転阻止部
Ｓ     軸
【図１】
2010127406.tif 000003
【図２】
2010127406.tif 000004
【図３】
2010127406.tif 000005
【図４】
2010127406.tif 000006
【図５】
2010127406.tif 000007